(57)【要約】【課題】反射プリントに画像を再現して鑑賞する場合に、実質的に３．０以上の濃度再現域を実現する。【解決手段】反射プリントに再現されたプリント画像を鑑賞する画像鑑賞方法であって、前記プリント画像を照明する画像照明を、前記プリント画像の濃度変調に対応させてイメージワイズに強度変調し、前記プリント画像の濃度変調と、前記画像照明の強度変調とを組み合わせて、前記プリント画像の濃度再現域を、目標濃度値として３．０以上まで実質的に拡張し、前記プリント画像を、前記実質的に拡張された濃度再現域で鑑賞し得るようにしたことを特徴とする画像鑑賞方法及びこの方法を実施するための装置を提供することにより前記課題を解決する。【選択図】図１
2004117795.tif 000002
【特許請求の範囲】
【請求項１】
反射プリントに再現されたプリント画像を鑑賞する画像鑑賞方法であって、
前記プリント画像を照明する画像照明を、前記プリント画像の濃度変調に対応させてイメージワイズに強度変調し、
前記プリント画像の濃度変調と、前記画像照明の強度変調とを組み合わせて、前記プリント画像の濃度再現域を、目標濃度値として３．０以上まで実質的に拡張し、
前記プリント画像を、前記実質的に拡張された濃度再現域で鑑賞し得るようにしたことを特徴とする画像鑑賞方法。
【請求項２】
前記画像照明の前記プリント画像上での最高出力値からの低下率の対数を、前記プリント画像の濃度値に加え、前記目標濃度値を得るように、前記プリント画像の濃度変調と、前記画像照明の強度変調とを組み合わせるようにした請求項１に記載の画像鑑賞方法。
【請求項３】
前記プリント画像中の低い空間周波数成分を前記画像照明での強度変調に加重し、かつ、前記プリント画像中の高い空間周波数成分を前記プリント画像の濃度変調に加重するようにした請求項１または２に記載の画像鑑賞方法。
【請求項４】
反射プリントに再現されたプリント画像を鑑賞する画像鑑賞装置であって、
反射プリント材料にプリント画像を出力するプリンタと、
前記プリント画像をイメージワイズに照明可能な照明手段と、
前記プリント画像を鑑賞する際の目標濃度値を達成するために必要な、前記プリント画像の濃度変調に対応した前記照明手段の強度変調を算出する計算手段と、を備え、
前記プリント画像の濃度変調と、前記画像照明の強度変調とを組み合わせて、前記プリント画像の濃度再現域を、目標濃度値として３．０以上まで実質的に拡張して、前記プリント画像を鑑賞するようにしたことを特徴とする画像鑑賞装置。
【発明の詳細な説明】
【０００１】
【発明の属する技術分野】
本発明は、画像鑑賞方法及び装置に係り、特に、カラーリバーサルフィルムのように濃度再現域が広いフィルムに記録された画像を、それよりも濃度再現域の狭い反射プリントに再現して鑑賞する場合に、実質的に、カラーリバーサルフィルムの濃度再現域を実現して鑑賞することのできる画像鑑賞方法及び装置に関する。
【０００２】
【従来の技術】
透過画像系のカラーリバーサルフィルムは、３．０以上（例えば３．２〜３．５程度）の広い濃度再現域を有し、かつ透過光で観察されるため、彩度の高い鮮やかな色が再現され、豊富な濃度及び色による優れた描写能力を有している。
一方、反射画像系では、例えば、カラーペーパーの場合、その濃度再現域は実質的には２．０〜２．５程度に制限されている。
【０００３】
このように、カラーペーパー等の反射プリントの場合に、その濃度再現域が狭いのは、紙面の表面反射により、照明光の１パーセント程度が混入するためであると考えられている。
そこで、従来、リバーサルフィルムをプリントするプロフェッショナルの用途においては、このような制限を最小にし、その濃度再現域を広げるためのさまざまな方法が行われていた。
【０００４】
反射プリントの濃度再現域を広げるための方法としては、従来、例えば、反射プリントの表面の平滑性を上げ、表面反射率を下げるようにするものや、材料の色材含有乃至発色量を増やす等の方法が行われていた。例えば、白色ポリエステルベースを用い、高い光沢性及び平面性を有するようにしたカラーリバーサルペーパーとして、富士写真フイルム社製「フジクロームペーパータイプ３５”ダイレクト”クリスタル」が知られている。
【０００５】
【発明が解決しようとする課題】
しかしながら、前記従来の反射プリントの濃度再現域を広げる方法では、まだ十分とは言えず、カラーリバーサルフィルムに記録された画像を反射プリントに再現して鑑賞する場合に、カラーリバーサルフィルムと同程度の濃度再現域を実現できるような方法は存在しなかった。
【０００６】
本発明は、前記従来の問題に鑑みてなされたものであり、カラーリバーサルフィルムに記録された画像を反射プリントに再現して鑑賞する場合に、実質的に３．０以上のカラーリバーサルフィルムと同程度の濃度再現域を実現することのできる画像鑑賞方法及び装置を提供することを課題とする。
【０００７】
【課題を解決するための手段】
前記課題を解決するために、本発明の第一の態様は、反射プリントに再現されたプリント画像を鑑賞する画像鑑賞方法であって、前記プリント画像を照明する画像照明を、前記プリント画像の濃度変調に対応させてイメージワイズに強度変調し、前記プリント画像の濃度変調と、前記画像照明の強度変調とを組み合わせて、前記プリント画像の濃度再現域を、目標濃度値として３．０以上まで実質的に拡張し、前記プリント画像を、前記実質的に拡張された濃度再現域で鑑賞し得るようにしたことを特徴とする画像鑑賞方法を提供する。
【０００８】
また、前記画像照明の前記プリント画像上での最高出力値からの低下率の対数を、前記プリント画像の濃度値に加え、前記目標濃度値を得るように、前記プリント画像の濃度変調と、前記画像照明の強度変調とを組み合わせるようにしたことが好ましい。
【０００９】
また、前記プリント画像中の低い空間周波数成分を前記画像照明での強度変調に加重し、かつ、前記プリント画像中の高い空間周波数成分を前記プリント画像の濃度変調に加重するようにしたことが好ましい。
【００１０】
また同様に、前記課題を解決するために、本発明の第二の態様は、反射プリントに再現されたプリント画像を鑑賞する画像鑑賞装置であって、反射プリント材料にプリント画像を出力するプリンタと、前記プリント画像をイメージワイズに照明可能な照明手段と、前記プリント画像を鑑賞する際の目標濃度値を達成するために必要な、前記プリント画像の濃度変調に対応した前記照明手段の強度変調を算出する計算手段と、を備え、前記プリント画像の濃度変調と、前記画像照明の強度変調とを組み合わせて、前記プリント画像の濃度再現域を、目標濃度値として３．０以上まで実質的に拡張して、前記プリント画像を鑑賞するようにしたことを特徴とする画像鑑賞装置を提供する。
【００１１】
【発明の実施の形態】
以下、本発明の画像鑑賞方法及び装置について、添付の図面に示される好適実施形態を基に詳細に説明する。
【００１２】
実施形態の説明をする前に、まず本発明の原理について図１を参照して説明する。
図１に示すように、プリント１を照明手段２で照明して、これを鑑賞者３が鑑賞する場合を考える。プリント１は、反射型でも、透過型でもよい。また、照明手段２は、ＤＭＤ（デジタルマイクロミラーデバイス）や液晶プロジェクター等のようにイメージワイズに照明光強度を制御して照明することができるものとする。
【００１３】
プリント１の画像上の点の位置座標（ｘ，ｙ）における分光反射率情報（あるいは分光透過率情報）を、波長をλとして、Ｒｐｒ（ｘ，ｙ，λ）とし、同じく照明手段２上の前記画像上の点（ｘ，ｙ）に対応する位置座標（ｘ，ｙ）の点における照明光の分光分布情報（あるいは分光透過率情報）をＥ（ｘ，ｙ，λ）とする。
このとき、鑑賞者３の目に達する光量の分光分布情報をＯ（ｘ，ｙ，λ）とすると、Ｏ（ｘ，ｙ，λ）は、次の式（１）で与えられる。
Ｏ（ｘ，ｙ，λ）＝Ｒｐｒ（ｘ，ｙ，λ）×Ｅ（ｘ，ｙ，λ）　・・・（１）
【００１４】
このとき、上記式（１）によれば、プリント材料が反射型の場合、プリント１が反射率のレンジで１：１００のダイナミックレンジ（濃度レンジでｌｏｇ　１００＝２）しか有さない場合においても、照明光を、例えば、１：１００のダイナミックレンジ（対数光量レンジでｌｏｇ　１００＝２）でイメージワイズに制御してプリント１を照明すれば、鑑賞者３は、１：１００×１００＝１：１００００のダイナミックレンジ、すなわち濃度レンジでｌｏｇ　１００００＝４の濃度範囲でのプリント画像の鑑賞が可能となる。
【００１５】
従って、このように、プリント画像の濃度変調に照明光の強度変調を組み合わせることにより、通常リバーサルフィルムを透過のビューワーで鑑賞するのと同等以上の効果を得ることができる。
なお、このとき、このような画像鑑賞は、例えばフォトサロンのように周囲に明るいものがない、比較的暗いところで行うのが好ましい。
【００１６】
以下、本発明の実施形態について説明する。
図２に、本実施形態の画像鑑賞装置の概略構成を示す。図２に示すように、本実施形態の画像鑑賞装置は、（反射）プリント１０を出力するプリンタ１２、プリント１０をイメージワイズに照明可能な照明手段１４及びこれらを制御するコンピュータ１６を有して構成される。鑑賞者１８は、プリント１０を、照明手段１４による照明の下で鑑賞する。
【００１７】
プリント１０は、反射プリントであり、プリンタ１２によって出力される。
プリンタ１２は、特に限定されるものではないが、例えば、フィルムに記録された画像を光電的に読み取って、読み取った画像をデジタル信号とした後、種々の画像処理を施して記録用の画像データとし、この画像データに応じて変調した記録光によって感光材料を走査露光して画像（潜像）を記録し、（仕上り）プリントとするデジタルフォトプリンタが好適に例示される。
【００１８】
また、照明手段１４は、プリント１０をイメージワイズに照明可能なものであればよく、特に限定されるものではないが、例えば、多数の微小ミラーを２次元的に配列したＤＭＤ等の空間光変調素子を用いるものや、液晶パネルに照射された照明光を表示させたい画像データに応じて変調した変調光をスクリーン上に投影して画像を表示する液晶プロジェクター等が好適に例示される。
【００１９】
コンピュータ１６は、プリンタ１２でプリント１０を作成する際のプリント画像の濃度変調、及び照明手段１４でプリント１０を照明する際の強度変調を制御するものである。また、後述するように、プリント画像を鑑賞する際の目標濃度値を達成するために必要な、プリント画像の濃度変調に対応した照明手段１４の強度変調を算出する計算手段として作用するものである。
【００２０】
以下、本実施形態の作用である画像鑑賞方法について説明する。
図３に、本実施形態における画像鑑賞方法の処理の流れを示し、以下図３に沿って説明する。
まず、図３のステップ１００において、プリンタ１２により反射プリント１０を作成する。これは、例えば、リバーサルフィルムからスキャナで画像を読み取り、デジタル画像データとして所定の処理を施した後、レーザビームによりカラーペーパーを露光して作成される。
【００２１】
このとき、簡単のため、それぞれ４５０ｎｍ、５５０ｎｍ及び６５０ｎｍに相当するＲ（赤）、Ｇ（緑）及びＢ（青）の３色について考えることとする。
すなわち、ｉ＝Ｒ、Ｇ、Ｂとして、プリント画像上の点（ｘ，ｙ）における反射プリント濃度をＤｐｒ，ｉ（ｘ，ｙ）とする。
一方、再現目標のリバーサルフィルム画像の分光分布Ｏｉ　（ｘ，ｙ）は、リバーサルフィルム画像の濃度をＤｒｖ，ｉ（ｘ，ｙ）として、次の式（２）で表される。
【数１】
2004117795.tif 000003
【００２２】
また、Ｒ、Ｇ、Ｂの３色反射プリントの分光反射率Ｒｐｒ，ｉ（ｘ，ｙ）は、上記反射プリント濃度Ｄｐｒ，ｉ（ｘ，ｙ）により、次の式（３）で表される。
【数２】
2004117795.tif 000004
【００２３】
また、照明手段１４の照明強度をＥｉ　（ｘ，ｙ）とするとき、次の式（４）が成立するようにＲｐｒ，ｉ（ｘ，ｙ）及びＥｉ　（ｘ，ｙ）を組み合わせることができれば、本実施形態の目的である目標濃度値を得ることができる。
Ｏｉ　（ｘ，ｙ）＝Ｒｐｒ，ｉ（ｘ，ｙ）×Ｅｉ　（ｘ，ｙ）　　・・・（４）
このＲｐｒ，ｉ（ｘ，ｙ）及びＥｉ　（ｘ，ｙ）の配分については、いくつかの場合が考えられるが、本実施形態では以下のように行う。
【００２４】
すなわち、次のステップ１１０において、今作成した反射プリント１０の濃度値Ｄｐｒ，ｉ（ｘ，ｙ）と目標とするリバーサルフィルム画像の濃度値Ｄｒｖ，ｉ（ｘ，ｙ）との差を次の式（５）によって求め、その不足分ΔＤｉ　（ｘ，ｙ）を算出する。
ΔＤｉ　（ｘ，ｙ）＝Ｄｒｖ，ｉ（ｘ，ｙ）−Ｄｐｒ，ｉ（ｘ，ｙ）　　・・・（５）
【００２５】
次にステップ１２０において、目標濃度値を達成するための照明手段１４の強度変調を算出する。
上記式（５）より次の式（６）が成り立つ。
Ｄｒｖ，ｉ（ｘ，ｙ）＝Ｄｐｒ，ｉ（ｘ，ｙ）＋ΔＤｉ　（ｘ，ｙ）　　・・・（６）
そこで、次の式（７）によって、強度変調を算出する。
【数３】
2004117795.tif 000005
【００２６】
すると、次の式（８）が成り立つ。
ｌｏｇ　ΔＥｉ　（ｘ，ｙ）＝−ΔＤｉ　（ｘ，ｙ）　　　・・・（８）
これより、次の式（９）が成立する。
−ｌｏｇ　ΔＥｉ　（ｘ，ｙ）＝ΔＤｉ　（ｘ，ｙ）　　　・・・（９）
【００２７】
従って、反射プリント濃度値Ｄｐｒ，ｉ（ｘ，ｙ）に対して、−ｌｏｇ　ΔＥｉ　（ｘ，ｙ）を加えることにより、以下の式（１０）に示すように、目標濃度値が達成される。
Ｄｐｒ，ｉ（ｘ，ｙ）−ｌｏｇ　ΔＥｉ　（ｘ，ｙ）
＝Ｄｐｒ，ｉ（ｘ，ｙ）＋ΔＤｉ　（ｘ，ｙ）
＝Ｄｒｖ，ｉ（ｘ，ｙ）　　　　　　　　　　　　・・・（１０）
すなわち、照明手段１４の規格化強度を１とした最大光量に対して、ｌｏｇ　ΔＥｉ　（ｘ，ｙ）の比率で光量を低下させることにより、反射プリント１０を鑑賞する際の目標濃度値が得られる。
【００２８】
次に、ステップ１３０において、上で算出したように、照明手段１４を強度変調して、反射プリント濃度と組み合わせることにより、所望のＯｉ（ｘ，ｙ）が達成される。
すなわち、上述したように、式（６）及び式（９）により、次の式（１１）が成り立つ。
【数４】
2004117795.tif 000006
【００２９】
このように、目標となるリバーサル画像の濃度値との差ΔＤｉ　（ｘ，ｙ）から式（９）によって決まる対数で表された照明光量ｌｏｇ　ΔＥｉ　（ｘ，ｙ）の分だけ光量を低下させることで、式（１１）に示すように所望の光量を得ることができ、リバーサル画像と同等の濃度範囲で反射プリント１０を鑑賞することができる。
【００３０】
以下、より具体的な実施例について説明する。
（実施例）
イメージワイズに照明光を変調できる照明手段１４として、液晶プロジェクターを用いた。
また、反射プリント１０の作成にあたっては、プリンタ１２として、富士写真フイルム社製レーザービームプリンタＰＨＩＳＵＬ２を用い、同じく富士写真フイルム社製カラーペーパーＦＵＪＩＣＯＬＯＲ　ＥＶＥＲ−ＢＥＡＵＴＹ　ＰＡＰＥＲ　を用いた。
【００３１】
Ｒ（４５０ｎｍ）、Ｇ（５５０ｎｍ）及びＢ（６５０ｎｍ）の３色を考え、ｉ＝Ｒ、Ｇ、Ｂとし、再現目標を式（２）で表されるリバーサル画像Ｏｉ　（ｘ，ｙ）とした。
このとき、液晶プロジェクターの光量Ｅｉ　（ｘ，ｙ）を最大光量（規格化強度：１とする。）と仮定し、目標となるリバーサル画像の濃度値に対して、式（５）によって表される不足分ΔＤｉ　（ｘ，ｙ）について、式（７）により液晶プロジェクターの光量ΔＥｉ　（ｘ，ｙ）を求めた。
【００３２】
そして、液晶プロジェクターの規格化強度１とした最大光量に対し、ｌｏｇ　ΔＥｉ　（ｘ，ｙ）の比率で光量を低下して、反射プリント１０を照明して鑑賞した。すると、このとき式（９）、（１０）により、図４に示すように目標濃度値Ｄｒｖ，ｉ（ｘ，ｙ）が得られた。従って、式（１１）に示すように、目標である所望のＯｉ　（ｘ，ｙ）が達成された。
【００３３】
なお、このとき前述したように、反射プリント濃度Ｄｐｒ，ｉ（ｘ，ｙ）と対数照明光量ｌｏｇ　ΔＥｉ　（ｘ，ｙ）の配分については、種々の配分が可能である。
今説明した具体的実施例のように、液晶プロジェクターを光源に使用する場合には、モニタの解像度規格での制約や光の広がり等があることから、高解像度での光量調整が難しい。
一方、反射プリントは、３００ｄｐｉ以上の高解像度での描画が可能であることから、低い空間周波数成分については、光源での変調に、また、高い空間周波数成分については、反射プリントでの変調に加重をおいた分離が有効であり、このような実施が、より好適である。
【００３４】
以上説明したように、本実施形態によれば、画像照明をイメージワイズに強度変調し、プリント画像の濃度変調と組み合わせることにより、実質的に３．０以上の濃度再現域を実現することができ、リバーサルフィルムを透過ビューワーで鑑賞するのと同等以上の効果を得ることができた。
特に、フォトサロン等の周囲光があまりない観察条件で鑑賞するようにした場合には、リバーサル画像をより忠実に再現でき、より優れた効果が得られる。
【００３５】
以上、本発明の画像鑑賞方法及び装置について、詳細に説明したが、本発明は、以上の実施形態に限定されるものではなく、本発明の要旨を逸脱しない範囲において、各種の改良や変更を行ってもよいのはもちろんである。
【００３６】
【発明の効果】
以上、説明した通り、本発明によれば、カラーリバーサルフィルムに記録された画像を反射プリントに再現して鑑賞する場合に、反射プリントの濃度再現域を実質的に拡張し、３．０以上の濃度再現域を可能とし、リバーサル画像をより忠実に再現することが可能となる。
【図面の簡単な説明】
【図１】本発明の原理を示す説明図である。
【図２】本実施形態の画像鑑賞装置の概略構成を示すブロック図である。
【図３】本実施形態の作用を示すフローチャートである。
【図４】本実施形態のポイントを示すブロック図である。
【符号の説明】
１　　プリント
２　　照明手段
３　　鑑賞者
１０　（反射）プリント
１２　プリンタ
１４　照明手段
１６　コンピュータ
１８　鑑賞者
【図１】
2004117795.tif 000007
【図２】
2004117795.tif 000008
【図３】
2004117795.tif 000009
【図４】
2004117795.tif 000010